(57)【要約】【課題】本発明は、点検スイッチと外部の送信機とによって点検を効率よく行うことができる誘導灯装置を提供する。【解決手段】本実施形態によれば、点検スイッチ５と受信部６とを具備しており、非常点検作業者の手動による非常点検作業とリモコン端末６０とを用いた非常点検作業を同一の誘導灯装置１で行うことが可能となる。また、点検制御部１９Ｂが点検スイッチ５を用いて非常点検を行う場合とリモコン端末６０とを用いて非常点検を行う場合とで共通して対応可能となっているので、部品点数の増加を抑制しており、省スペース化を図ることができる。【選択図】図５
2005285407.tif 000002
【特許請求の範囲】
【請求項１】
光源と；
複数個の孔部が形成された周枠部を有し、この周枠部の少なくとも一方の開口部側に誘導表示体を有する器具本体と；
バッテリと；
常時には商用電源からの給電によって光源を点灯させるとともに、非常時にはバッテリからの給電により光源を点灯させて誘導表示体を照明する点灯ユニットと；
周枠部の第一の孔部を介して外部から操作可能なように設けられた点検スイッチと；
周枠部の第二の孔部から外部に臨むように設けられ、外部の送信機から点検開始信号を受信する受信部と；
点検スイッチおよび受信部を介して点検開始指令が入力されるとバッテリからの給電で光源を点灯させる点検モードとなるように点灯ユニットを制御する点検制御部と；
周枠部の第三の孔部から外部に臨むように設けられ、点検制御部での点検結果を報知する報知部と；
を具備していることを特徴とする誘導灯装置。
【請求項２】
点検スイッチと受信部とは共通の筐体に収納されており、この筐体は器具本体内であって、周枠部近傍に設けられることを特徴とする請求項１記載の誘導灯装置
【請求項３】
報知部は、点検結果を外部へ光によって報知するものであって、報知部からの出射光が受信部に入射しないように形成されていることを特徴とする請求項１または２いずれか一記載の誘導灯装置。
【発明の詳細な説明】
【技術分野】
【０００１】
本発明は、誘導灯装置に関する。
【背景技術】
【０００２】
従来、誘導灯装置は、常時に商用電源から給電されることで光源が点灯し、さらに、常時は、商用電源からの電力によりバッテリの充電が行われている。そして、商用電源からの電源の給電が遮断された非常時には、バッテリからの給電により光源が点灯するようになっている。
【０００３】
このように、誘導灯装置は、非常時において人を誘導できるよう確実に光源が点灯することが最も重要であるので、定期的に諸事項を点検することが義務付けられているものである。
【０００４】
この定期的に点検を行う事項の一つに、バッテリからの電力供給によって所定時間（例えば２０分間）光源が点灯するかという点検（以下、「非常点検」という。）を誘導灯装置の点検スイッチを操作することで行うことが知られている。そして、このような非常点検は、点検スイッチを操作するとバッテリの寿命を検出し、バッテリが交換時期であると判断されるとバッテリの交換を促すことでバッテリユニットからの電力供給によって所定時間光源が点灯することを維持する技術である（例えば特許文献1参照）。
【０００５】
一方、本願出願人は、特許文献１記載のような点検スイッチを用いた非常点検であっては、点検作業者が点検スイッチを直接操作しなくてはならないという煩雑さを軽減するために外部の送信機であるリモコン端末等を用いた非常点検に関する技術を出願している。これによると、外部送信機からの点検指令により演算制御装置が自動的に非常点検モードに切換え、バッテリ電圧等を検出するので、点検作業が簡素化できるというものである（例えば特許文献２参照）。
【特許文献１】特開平６−３２８６０１号公報
【特許文献２】特開２００３−９２０１３号公報
【発明の開示】
【発明が解決しようとする課題】
【０００６】
しかしながら、特許文献２記載の従来技術は、非常点検モードが外部の送信機によって行うことができるものであるので、仮に点検作業者が送信機を忘れたり、送信機の電源が切れていたりすると点検作業を行うことができなくなってしまう虞があった。
【０００７】
上記を解決するために、特許文献１記載のような点検スイッチを特許文献２記載の技術と組合わせることも考えられるが、点検スイッチと連動する制御部および外部の送信機に対応する演算制御装置を設けなくてはならないので、部品点数の増加となり、限られた電気部品収納スペースである器具本体内に設けることができなくなるという虞があった。
【０００８】
また、仮に特許文献１記載のような点検スイッチと特許文献２記載のような送信機を用いた技術とを組合わせ得たとしても誤動作なく点検を行えるような構成を見出すことが課題となる。
【０００９】
本発明は上記に鑑みたものであり、点検スイッチと外部の送信機とによって点検を効率よく行うことができる誘導灯装置を提供することを目的とする。
【課題を解決するための手段】
【００１０】
請求項１に記載の誘導灯装置によれば、光源と；複数個の孔部が形成された周枠部を有し、この周枠部の少なくとも一方の開口部側に誘導表示体を有する器具本体と；バッテリと；常時には商用電源からの給電によって光源を点灯させるとともに、非常時にはバッテリからの給電により光源を点灯させて誘導表示体を照明する点灯ユニットと；周枠部の第一の孔部を介して外部から操作可能なように設けられた点検スイッチと；周枠部の第二の孔部から外部に臨むように設けられ、外部の送信機から点検開始信号を受信する受信部と；点検スイッチおよび受信部を介して点検開始指令が入力されるとバッテリからの給電で光源を点灯させる点検モードとなるように点灯ユニットを制御する点検制御部と；周枠部の第三の孔部から外部に臨むように設けられ、点検制御部での点検結果を報知する報知部と；を具備していることを特徴とする。
【００１１】
本発明及び以下の発明において、特に指定しない限り用語の定義および技術的意味は次による。
【００１２】
光源は、点光源および線状光源等いかなる形態のものであってもよく、さらに加えると蛍光ランプ、ＬＥＤ等の如何なる発光作用を奉するものであってもよい。
【００１３】
また光源は、後述する器具本体内のみならず器具本体外に設けられるような構成であってもよく、要するに誘導表示体を照明するように構成されていれば如何なる形態であってもよい。
【００１４】
器具本体は、外形が矩形、正四角形、多角形および円形等のいずれであってもよく、周枠部を有するものであれば如何なる形態であってもよい。なお、周枠部は、連続して一体の枠部を形成するものの他、例えば一般的に３：１と呼ばれている誘導灯装置のように、一体ではないものの結果的に器具本体の周枠を形成するような部材で構成されているものも含まれる。
【００１５】
誘導表示体は、光源からの照射光により誘導表示体のシンボルが視認できるように形成されているものであるが、光源からの照射光は直接的または間接的のいずれでもあってもよい。
【００１６】
点検スイッチは、外部から操作可能なように設けられていれば、第一の孔部から露出するように設けられていてもよいし、第一の孔部内に埋め込まれている状態であってもよい。また、作業者による操作も直接的または間接的のいずれでもよい。
【００１７】
なお「点検モード」とは、非常点検、光源の点灯状態点検、光源の寿命点検、電源端子台と電源線との接続状態点検およびその他の所望の点検事項であって、特に点検事項が限定されることはなく、使用形態に応じて適宜の事項の点検がなされれればよいものである。
【００１８】
また「臨む」とは、外部から視認可能なように設けられている状態であればよく、各孔部の外部へ露出している状態や、各孔部の内部に奥まった状態で設けられている状態であってもよい。
【００１９】
請求項１の発明によれば、点検スイッチを用いて点検を行う場合には、外部から操作可能なように設けられている点検スイッチを操作することで、点検制御部が点検モードになるように点灯ユニットを制御し、かつ、点検制御部が所定の点検事項の点検結果を報知部へ出力して報知部を介して点検結果を外部へ報知する。
【００２０】
また、外部の送信機を用いて点検を行う場合には、周枠部の第二の孔部から外部に臨んでいる受信部を目標に作業者が当該送信機から点検モード開始信号を送信する。そして、この信号が受信部で受信されると点検制御部が点検モードとなるように点灯ユニットを制御し、かつ、点検制御部が所定の点検事項の点検結果を報知部へ出力して報知部を介して点検結果を外部へ報知する。なお、受信部は、周枠部の第二の孔部から外部に臨んでいる状態であるので、誘導表示体を照明する光源の出射光が直接照射されないようになっている。
【００２１】
本発明によれば、光源と；複数個の孔部が形成された周枠部を有し、この周枠部の少なくとも一方の開口部側に誘導表示体を有する器具本体と；バッテリと；常時には商用電源からの給電によって光源を点灯させるとともに、非常時にはバッテリからの給電により光源を点灯させて誘導表示体を照明する点灯ユニットと；周枠部の第一の孔部を介して外部から操作可能なように設けられた点検スイッチと；周枠部の第二の孔部から外部に臨むように設けられ、外部の送信機から点検開始信号を受信する受信部と；点検スイッチおよび受信部を介して点検開始指令が入力されるとバッテリからの給電で光源を点灯させる点検モードとなるように点灯ユニットを制御する点検制御部と；周枠部の第三の孔部から外部に臨むように設けられ、点検制御部での点検結果を報知する報知部と；を具備していることにより、点検スイッチと外部の送信機とを用いた点検を同一の誘導灯装置で行うことが可能となり、点検作業者の使い勝手が向上するとともに、汎用性も向上する。
【００２２】
また、点検制御部が点検スイッチを用いて点検を行う場合と外部の送信機を用いて点検を行う場合とで共通して対応可能となっているので、器具本体内の限られた電気部品収納スペースであっても容易に設けることができる。
【００２３】
さらにまた、外部の送信機と用いた点検の場合には、周枠部の第二の孔部から外部に臨んでいる受信部により点検開始信号を受信しやすいようになっているとともに、光源の照射光による誤動作を防止することができる。
【００２４】
請求項２に記載の誘導灯装置によれば、請求項１記載の誘導灯装置において、点検スイッチと受信部とは共通の筐体に収納されており、この筐体は器具本体内であって、周枠部近傍に設けられることを特徴とする。
【００２５】
本発明によれば、点検スイッチと受信部とは共通の筐体に収納されており、この筐体は器具本体内であって、周枠部近傍に設けられることにより、器具本体の限られた電気部品収納スペース内を有効に活用することができる。また、点検作業者は、点検スイッチと同様な位置に受信部が設けられているので、点検作業形態が異なることに伴う煩雑さを生じない。
【００２６】
請求項３に記載の誘導灯装置によれば、請求項１または２いずれか一記載の誘導灯装置において、報知部は、点検結果を外部へ光によって報知するものであって、報知部からの出射光が受信部に入射しないように形成されていることを特徴とする。
【００２７】
本発明によれば、報知部は、点検結果を外部へ光によって報知するものであって、報知部からの出射光が受信部に入射しないように形成されていることにより、報知部からの出射光によって点検制御部が点検モードとなる誤動作を防ぐことができる。また、報知部をＬＥＤ等の安価な構成とすることが可能であるので、コストを抑制することができる。
【発明の効果】
【００２８】
請求項１記載の発明によれば、点検スイッチと外部の送信機とを用いた点検を同一の誘導灯装置で行うことが可能となり、点検作業者の使い勝手が向上する。また、点検制御部が点検スイッチを用いて点検を行う場合と外部の送信機を用いて点検を行う場合とで共通して対応可能となっているので、器具本体内の限られた電気部品収納スペースであっても容易に設けることができる。
【００２９】
請求項２記載の発明によれば、器具本体の限られた電気部品収納スペース内を有効に活用することができる。また、点検作業者は、点検スイッチと同様な位置に受信部が設けられているので、点検作業形態が異なることに伴う作業の煩雑さを生じない。
【００３０】
請求項３記載の発明によれば、報知部からの出射光によって点検制御部が点検モードとなる誤動作を防ぐことができる。また、報知部をＬＥＤ等の安価な構成とすることが可能であるので、コストを抑制することができる。
【発明を実施するための最良の形態】
【００３１】
本発明の一実施形態を図面を参照して説明する。図１は第一実施形態の誘導灯装置を示した一部切欠き断面正面図、図２は本実施形態の誘導灯装置の斜視図、図３は本実施形態の誘導灯装置の筐体を示す説明図、図４は図３の筐体の要部を示す拡大断面図、図５は本実施形態の誘導灯装置の回路構成図である。
【００３２】
誘導灯装置１は、器具本体９、点灯ユニット収納ボックス２、光源３、バッテリ２０、誘導表示体８、筐体５０、等を具備しているものであって、天井または壁面に取付けられるものである。
【００３３】
器具本体９は、周枠部９１を有しており、その周枠部９１の一方側には開口部９８が形成され、他方側には底板９９が形成されている。
【００３４】
また器具本体９の周枠部９１の底辺９１Ａには第一、第二および第三の孔部９２，９３，９４が形成されている。
【００３５】
また器具本体９の周枠部９１と底板９９とで形成された空間には電気部品収納部９５が形成されており、この収納部９５内に後述する点灯ユニット収納ボックス２、バッテリ２０および筐体５０が収納配置される。
【００３６】
また器具本体９の底板９９には点灯ユニット収納ボックス２の上方に壁面側から挿入される電源線の挿通用の電源線挿通孔９６が形成されており、同じく底板９９には誘導灯装置１を壁面に取付ける際に用いる取付用孔９７が形成されている。
【００３７】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３８】
誘導表示体８は、表面に避難方向を示すシンボルが表示されるように形成されるものであって、本実施形態においては、その内部に図示しない導光板を有し、その導光板を重なるようにシンボルが印刷等された表示板を設けているものである。そして、上記導光板の一端部側から上記した光源３の出射光を入射させてシンボルを照明／表示させるものである。
【００３９】
点灯ユニット収納ボックス２は、内部に後述する点灯ユニット１０等、光源３の点灯装置、バッテリ２０の充電回路及び種々の制御を行う制御部等が収納されている。そして、この点灯ユニット収納ボックス２はネジ２１により器具本体９に固定されている。
【００４０】
バッテリ２０は、器具本体９の周枠部９１の底辺９１Ａであって、電気部品収納部９５側に位置するように底辺９１Ａに載置されている。そして、図示しない配線によって点灯ユニット収納ボックス２内の点灯ユニット１０と電気的接続がなされている。
【００４１】
筐体５０は、図３に示したように、その底部５８から露出するように押圧式の点検スイッチ５が設けられているとともに、底部５８には受信部６と報知部としてのＬＥＤ７とが設けられている。なお、上記バッテリ２０および点検スイッチ５は、誘導灯装置の仕様に応じて適宜の位置に設けることができるものである。
【００４２】
この受信部６とＬＥＤ７とは、図３に示したように（図３の（ａ）は筐体５０の側面図であり、（ｂ）は筐体５０の底面図である。）、筐体５０の底部５８において、隔壁５７によって区画された受信部収容部５５と報知部収納部５６とに収納されているものである。そして、受信部６は底部５８と略同一面となるように設けられるものであるが、ＬＥＤ７は底部５８から若干奥まった位置に位置するように設けられているものである。
【００４３】
また筐体５０は、器具本体９の底辺９１Ａから電気部品収納部９５内において上方側へ立ち上がっているガイド壁５３に係合することで器具本体９に固定されている。すなわち、器具本体９の開口部９８側から筐体５０をガイド壁に沿って底板９９側にスライド移動させると点検スイッチ５が底辺９１Ａによって一旦は筐体５０の内部方向へ押圧されるが、器具本体９の第一の孔部９２に点検スイッチ５が位置すると、その弾性によって自然に第一の孔部９２内に点検スイッチ５が係合する。このような状態になると筐体５０はガイド壁５３および第一の孔部９２によって係合状態となるので、器具本体９内に固着されることとなる。
【００４４】
また、受信部６とＬＥＤ７とは、配線５１を介して点灯ユニット収納ボックス２内の点灯ユニット１０と電気的接続がなされているとともに、受信部６が器具本体９の開口部９８側であって、ＬＥＤ７が器具本体９の底板９９側となるように設けられている。
【００４５】
次に本実施形態の誘導灯装置１の回路構成について図５を参照して説明する。
【００４６】
点灯ユニット１０は、常用点灯回路１４、バッテリ回路１５、発振制御部１６、インバータ回路１７及び制御ユニット１９等からなっており、商用電源１１からの電力は整流回路１２に入力され、トランス１３を介して常用点灯回路１４およびバッテリ回路１５に入力される。そして、常用点灯回路１４は発振制御部１６により制御され、トランス１を介して入力された電力をインバータ回路１７で高周波電力に変換して光源３に点灯電力を供給する。
【００４７】
また、発振制御部１６は、制御ユニット１９の点灯制御部１９Ａからの制御指令に基づいて制御され、常用点灯モードのときに常用点灯回路１４により光源３を高周波点灯させる
【００４８】
一方、バッテリ回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時には、点灯制御部１９Ａは、バッテリ回路１５に動作指令を出力してバッテリ２０の充電電力をインバータ回路１７に供給させる。これにより、商用電源１１の停電時にはバッテリ２０からの充電電力がインバータ回路１７で高周波変換されて光源３に給電される。これにより、商用電源１１が停電した場合であっても誘導灯装置１の光源３の点灯を継続できるようにしている。
【００４９】
点検ユニット部１８は、外部の送信機であるリモコン端末６０からの点検開始指令の信号を受信する受信部６と点検スイッチ５が内蔵されているものである。そして、点検スイッチ５が操作されると点検ユニット１８を介して点検開始指令が点検制御部１９Ｂに入力されるので、点検制御部１９は非常点検モードとなるように点灯制御部１９Ａの制御を行う。
【００５０】
また、リモコン端末６０からの点検開始信号が受信部６で受信された場合にも、点検ユニット１８を介して点検開始指令が点検制御部１９Ｂに入力されるので、点検制御部１９は非常点検モードとなるように点灯制御部１９Ａの制御を行う。
【００５１】
そして、非常点検モードとなった点灯制御部１９Ａは、発振制御部１６に対して常用点灯回路１４からの電力供給よって光源３が点灯されないように指令を出力すると共に、バッテリ回路１５のバッテリ２０からインバータ回路１７に充電電力の供給をするように動作指令を出力する。これにより、模擬停電状態となって非常点検モードとなる。そして、所定時間（例えば２０分）経過後または所定時間経過中にバッテリ電圧およびランプ点灯状況等の検出し、その検出結果を記憶手段６１に記憶する。
【００５２】
非常点検モード終了後においては、点灯制御部１９Ａが発振制御部１６に対して動作指令を出力して常用点灯回路１４を動作させると共に、バッテリ２０の放電を停止させ常用点灯モードに復帰させることとなる。
【００５３】
さらに非常点検モード終了後には点検結果がＬＥＤ７へ出力されて点検結果を点灯状態の可変させることで外部へ報知する。すなわち、点検制御部１９Ｂが記憶手段６１に記憶されている点検結果を読み出して種々の基準値等と比較し、比較した結果基準値を下回ってる場合にはその結果に応じた報知となるようにＬＥＤ７へ情報を出力する。
【００５４】
また、本実施形態における非常点検モードは、バッテリ２０の寿命点検および光源３の点灯状態点検であって、バッテリ２０が交換時期である場合にはＬＥＤ７が点滅し、光源３の点灯状態が異常である場合にはＬＥＤ７が赤色によって点灯するようになっているものである。なお、点検モードは上記の形態に限定されず、種々の点検を行うことができるものである。
【００５５】
なお本実施形態は、発振制御部１６がトランス１３の作動を停止させることで非常点検モードとなる形態であるが、例えば常用点灯回路１４は動作しながらも光源３はバッテリ２０からの電力供給により点灯するような制御形態にすることもできる。
【００５６】
本実施形態によれば、点検スイッチ５と受信部６とを具備しており、非常点検作業者の手動による非常点検作業とリモコン端末６０とを用いた非常点検作業を同一の誘導灯装置１で行うことが可能となるので、作業者がリモコン端末６０を忘れた場合、リモコン端末６０の電源が切れた場合等においても非常点検を行うことでき、使い勝手が向上する。
【００５７】
また、リモコン端末６０による非常点検作業を当初から希望しないユーザに対しても本誘導灯装置１によって対応することができるので汎用性も向上する。
【００５８】
また、点検制御部１９Ｂが点検スイッチ５を用いて非常点検を行う場合とリモコン端末６０とを用いて非常点検を行う場合とで共通して対応可能となっているので、部品点数の増加を抑制しており、省スペース化を図ることができる。また、器具本体９内の限られた電気部品収納部９５であっても配設可能である。
【００５９】
また、受信部６が周枠部９１の底部９１Ａの第二の孔部９３から外部に臨むように設けられているので、リモコン端末６０からの点検開始信号を受信しやすいようになっているとともに、光源３の照射光が直接受信部６に入射されないので、光源３の照射光による誤動作を、防止することができる。
【００６０】
また点検スイッチ５、受信部６及びＬＥＤ７とが共通の筐体５０に収納されているので、器具本体９の限られた電気部品収納部９５を有効に活用することができる。また、点検作業者は、点検スイッチ５と同様な位置に受信部６が設けられているので、点検作業形態が異なったとしても戸惑うことなく作業を行うことができる。
【００６１】
また、受信部６とＬＥＤ７とは、同一の筐体５０に収納されつつも、互いに異なる収納部５５，５６内に収納されており、かつ、ＬＥＤ７は筐体５０の底部５８から露出しないように設けられているので、ＬＥＤ７の出射光が直接受信部６に入射されないようにもうけらえている。したがって、ＬＥＤ７からの出射光によって点検制御部１９Ｂが非常点検モードとなる誤動作を防ぐことができる。また、報知部をＬＥＤ７のように安価部材で構成することができるのでコストを抑制することができる。
【００６２】
また、受信部６は器具本体９の底辺９１Ａにおいて器具本体９の開口部９８側に位置するように設けられているので、誘導灯装置１が壁面に取付けられた場合にはリモコン端末６０から送信された信号が壁面に反射してその信号が受信部６に入射しやすくなっており、リモコン端末６０を用いた非常点検作業の作業性を向上することができる。
【００６３】
なお受信部６は、例えば誘導表示体８のシンボルの裏面（例えば人の頭部に対応する箇所）にも追加して設けることができ、そのような場合にはリモコン端末６０による非常点検作業がより行いやすくなる。
【図面の簡単な説明】
【００６４】
【図１】本実施形態の誘導灯装置を示した一部切欠き断面正面図
【図２】本実施形態の誘導灯装置の斜視図
【図３】本実施形態の誘導灯装置の筐体を示す説明図
【図４】図３の筐体の要部を示す拡大断面図
【図５】本実施形態の誘導灯装置の回路構成図
【符号の説明】
【００６５】
３・・・光源、５・・・点検スイッチ、６・・・受信部、７・・・報知部であるＬＥＤ、９・・・器具本体、１０・・・点灯ユニット、２０・・・バッテリ、５０・・・筐体
【図１】
2005285407.tif 000003
【図２】
2005285407.tif 000004
【図３】
2005285407.tif 000005
【図４】
2005285407.tif 000006
【図５】
2005285407.tif 000007